【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
処理対象物に電磁波を照射して殺菌する電磁波発生源と、
上記電磁波発生源から発せられる電磁波の強度を検出する電磁波検出センサと、
上記電磁波検出センサからの出力に基づいて計算された電磁波の照射強度や照射量を表示する表示部と、を設け、
上記電磁波検出センサは、上記電磁波発生源までの距離を、上記処理対象物から上記電磁波発生源までの距離と略等しい距離の位置に設置した
ことを特徴とする電磁波照射殺菌装置。
【請求項２】
請求項１に記載の電磁波照射殺菌装置において、
上記電磁波検出センサとは別に、上記電磁波発生源から発せられる電磁波の強度を検出する上記電磁波検出センサより耐久性に優れた電磁波検出サブセンサを設けた
ことを特徴とする電磁波照射殺菌装置。
【請求項３】
請求項２に記載の電磁波照射殺菌装置において、
上記表示部は、通常時は上記電磁波検出サブセンサからの出力に基づく電磁波の照射強度や照射量を表示し、必要時に上記電磁波検出センサからの出力に基づく電磁波の照射強度や照射量を表示するようにした
ことを特徴とする電磁波照射殺菌装置。
【請求項４】
請求項１に記載の電磁波照射殺菌装置において、
上記電磁波発生源の周りに冷却用のエアーを送る送風手段を設け、
上記表示部に表示される電磁波の照射照度や照射量を確認し、上記電磁波発生源の出力が常に一定となるように上記送風手段によるエアーの風量を調整または送風をオン／オフさせる制御手段を設けた
ことを特徴とする電磁波照射殺菌装置。
【請求項５】
請求項１に記載の電磁波照射殺菌装置において、
上記電磁波発生源が収容されているユニットの一または複数箇所に、上記電磁波発生源の周りの温度を感知する温度センサを設け、
上記温度センサで感知される温度変化に応じて上記電磁波発生源の出力が常に一定となるように上記送風手段によるエアーの風量を調整または送風をオン／オフさせる制御手段を設けた
ことを特徴とする電磁波照射殺菌装置。
【請求項６】
請求項１に記載の電磁波照射殺菌装置において、
上記処理対象物は、セパレートシートや物を載せるパレット等の平面体であり、
上記処理対象物を搬送する搬送手段を設けた
ことを特徴とする電磁波照射殺菌装置。
【請求項７】
請求項１に記載の電磁波照射殺菌装置において、
上記処理対象物が平面体以外の形状である場合に、
上記電磁波検出センサに、上記処理対象物の形状に基づいた形状のアタッチメントを装着し、上記処理対象物の特定の部分における電磁波の照射強度や照射量の測定を可能とした
ことを特徴とする電磁波照射殺菌装置。
【請求項８】
請求項１に記載の電磁波照射殺菌装置において、
上記電磁波発生源は、上記処理対象物の搬送経路の両側に対称的に配置して設け、
上記電磁波検出センサは、上記搬送経路の両側にそれぞれ配置して設けた
ことを特徴とする電磁波照射殺菌装置。
【請求項９】
請求項６に記載の電磁波照射殺菌装置において、
上記搬送手段の搬送経路の両側に上記電磁波発生源を配置し、
上記電磁波発生源は、管状に形成された紫外線ランプによりなり、これが上記搬送手段によって搬送される上記処理対象物の搬送方向と平行または直交もしくは傾斜状に交差して複数本並設されている
ことを特徴とする電磁波照射殺菌装置。
【請求項１０】
請求項９に記載の電磁波照射殺菌装置において、
上記処理対象物の搬送経路の両側に、上記処理対象物の姿勢を保持するための一対のガイド棒を設け、
上記一対のガイド棒は、その入口側または入口側と出口側の端部の間隔が広がった形状に形成されるとともに、上記処理対象物の搬送方向に対して傾斜するように設置されている
ことを特徴とする電磁波照射殺菌装置。
【請求項１１】
請求項１に記載の電磁波照射殺菌装置において、
上記表示部に、上記電磁波発生源から発せられる電磁波に故障があるときに、その故障に関する事項が表示されるようにした
ことを特徴とする電磁波照射殺菌装置。
【手続補正２】
【補正対象書類名】明細書
【補正対象項目名】発明の名称
【補正方法】変更
【補正の内容】
【発明の名称】電磁波照射殺菌装置
【手続補正３】
【補正対象書類名】明細書
【補正対象項目名】０００１
【補正方法】変更
【補正の内容】
【０００１】
本発明は、処理対象物に電磁波を照射して殺菌等を行う電磁波照射殺菌装置に関する。
【手続補正４】
【補正対象書類名】明細書
【補正対象項目名】０００９
【補正方法】変更
【補正の内容】
【０００９】
上記の目的を達成するものとして本発明の請求項１に係る電磁波照射殺菌装置は、処理対象物に電磁波を照射して殺菌する電磁波発生源と、この電磁波発生源から発せられる電磁波の強度を検出する電磁波検出センサと、この電磁波検出センサからの出力に基づいて計算された電磁波の照射強度や照射量を表示する表示部と、を設け、電磁波検出センサは、電磁波発生源までの距離を、処理対象物から電磁波発生源までの距離と略等しい距離の位置に設置したことを大きな特徴とするものである。
【手続補正５】
【補正対象書類名】明細書
【補正対象項目名】００１０
【補正方法】変更
【補正の内容】
【００１０】
本発明の請求項２に係る電磁波照射殺菌装置は、請求項１に記載の電磁波照射装置において、電磁波検出センサとは別に、電磁波発生源から発せられる電磁波の強度を検出する電磁波検出センサより耐久性に優れた電磁波検出サブセンサを設けたことを特徴とする。
【手続補正６】
【補正対象書類名】明細書
【補正対象項目名】００１１
【補正方法】変更
【補正の内容】
【００１１】
さらに本発明の請求項３に係る電磁波照射殺菌装置は、請求項２に記載の電磁波照射装置において、表示部は、通常時は電磁波検出サブセンサからの出力に基づく電磁波の照射強度や照射量を表示し、必要時に電磁波検出センサからの出力に基づく電磁波の照射強度や照射量を表示するようにしたことを特徴とする。
【手続補正７】
【補正対象書類名】明細書
【補正対象項目名】００１２
【補正方法】変更
【補正の内容】
【００１２】
本発明の請求項４に係る電磁波照射殺菌装置は、請求項１に記載の電磁波照射殺菌装置において、電磁波発生源の周りに冷却用のエアーを送る送風手段を設け、表示部に表示される電磁波の照射照度や照射量を確認し、電磁波発生源の出力が常に一定となるように送風手段によるエアーの風量を調整または送風をオン／オフさせる制御手段を設けたことを特徴とする。
【手続補正８】
【補正対象書類名】明細書
【補正対象項目名】００１３
【補正方法】変更
【補正の内容】
【００１３】
さらに本発明の請求項５に係る電磁波照射殺菌装置は、請求項１に記載の電磁波照射殺菌装置において、電磁波発生源が収容されているユニットの一または複数箇所に、電磁波発生源の周りの温度を感知する温度センサを設け、この温度センサで感知される温度変化に応じて電磁波発生源の出力が常に一定となるように送風手段によるエアーの風量を調整または送風をオン／オフさせる制御手段を設けたことを特徴とする。
【手続補正９】
【補正対象書類名】明細書
【補正対象項目名】００１４
【補正方法】変更
【補正の内容】
【００１４】
本発明の請求項６に係る電磁波照射殺菌装置は、請求項１に記載の電磁波照射殺菌装置において、処理対象物は、セパレートシートや物を載せるパレット等の平面体であり、この処理対象物を搬送する搬送手段を設けたことを特徴とする。
【手続補正１０】
【補正対象書類名】明細書
【補正対象項目名】００１５
【補正方法】変更
【補正の内容】
【００１５】
さらに本発明の請求項７に係る電磁波照射殺菌装置は、請求項１に記載の電磁波照射殺菌装置において、処理対象物が平面体以外の形状である場合に、電磁波検出センサに、処理対象物の形状に基づいた形状のアタッチメントを装着し、処理対象物の特定の部分における電磁波の照射強度や照射量の測定を可能としたことを特徴とする。
【手続補正１１】
【補正対象書類名】明細書
【補正対象項目名】００１６
【補正方法】変更
【補正の内容】
【００１６】
本発明の請求項８に係る電磁波照射殺菌装置は、請求項１に記載の電磁波照射殺菌装置において、電磁波発生源は、処理対象物の搬送経路の両側に対称的に配置して設け、電磁波検出センサは、搬送経路の両側にそれぞれ配置して設けたことを特徴とする。
【手続補正１２】
【補正対象書類名】明細書
【補正対象項目名】００１７
【補正方法】変更
【補正の内容】
【００１７】
本発明の請求項９に係る電磁波照射殺菌装置は、請求項６に記載の電磁波照射殺菌装置において、搬送手段の搬送経路の両側に電磁波発生源を配置し、その電磁波発生源は、管状に形成された紫外線ランプによりなり、これが搬送手段によって搬送される処理対象物の搬送方向と平行または直交もしくは傾斜状に交差して複数本並設されていることを特徴とする。
さらに本発明の請求項１０に係る電磁波照射殺菌装置は、請求項９に記載の電磁波照射殺菌装置において、処理対象物の搬送経路の両側に、処理対象物の姿勢を保持するための一対のガイド棒を設け、一対のガイド棒は、その入口側または入口側と出口側の端部の間隔が広がった形状に形成されるとともに、処理対象物の搬送方向に対して傾斜するように設置されていることを特徴とする。
また、本発明の請求項１１に係る電磁波照射殺菌装置は、請求項１に記載の電磁波照射殺菌装置において、表示部に、電磁波発生源から発せられる電磁波に故障があるときに、その故障に関する事項が表示されるようにしたことを特徴とする
【手続補正１３】
【補正対象書類名】明細書
【補正対象項目名】００１８
【補正方法】変更
【補正の内容】
【００１８】
本発明の請求項１に係る電磁波照射殺菌装置では、電磁波発生源から発せられる電磁波の強度を検出する電磁波検出センサを設けるとともに、この電磁波検出センサからの出力に基づいて計算された電磁波の照射強度や照射量を表示する表示部と、を設け、電磁波検出センサは、電磁波発生源までの距離を、処理対象物から電磁波発生源までの距離と略等しい距離の位置に設置したことにより、電磁波発生源から処理対象物に照射される電磁波の照射強度や照射量を正確に測定することができる。
【手続補正１４】
【補正対象書類名】明細書
【補正対象項目名】００１９
【補正方法】変更
【補正の内容】
【００１９】
本発明の請求項２に係る電磁波照射殺菌装置では、電磁波検出センサとは別に、電磁波発生源から発せられる電磁波の強度を検出する電磁波検出センサより耐久性に優れた電磁波検出サブセンサを設けたことにより、通常時には電磁波検出センサを休ませた状態で電磁波検出サブセンサを使用して電磁波の照射強度や照射量の測定を行うことができる。
【手続補正１５】
【補正対象書類名】明細書
【補正対象項目名】００２０
【補正方法】変更
【補正の内容】
【００２０】
さらに本発明の請求項３に係る電磁波照射殺菌装置では、表示部により、通常時は電磁波検出サブセンサからの出力に基づく電磁波の照射強度や照射量が表示され、必要時に電磁波検出センサからの出力に基づく電磁波の照射強度や照射量が表示されるようにしたことにより、電磁波発生源から処理対象物に照射される電磁波の照射強度や照射量を目視によって容易に確認することができる。
【手続補正１６】
【補正対象書類名】明細書
【補正対象項目名】００２１
【補正方法】変更
【補正の内容】
【００２１】
本発明の請求項４に係る電磁波照射殺菌装置では、電磁波発生源の周りに冷却用のエアーを送る送風手段が設けられ、表示部に表示される電磁波の照射強度や照射量を確認し、それに応じて送風手段によるエアーの風量を調整または送風をオン／オフさせて、電磁波発生源の出力が常に一定となるように制御できるようにしたことにより、処理対象物に対し安定した出力で電磁波を照射することができる。
【手続補正１７】
【補正対象書類名】明細書
【補正対象項目名】００２２
【補正方法】変更
【補正の内容】
【００２２】
さらに本発明の請求項５に係る電磁波照射殺菌装置では、電磁波発生源が収容されているユニットの一または複数箇所に、電磁波発生源の周りの温度を感知する温度センサが設けられ、この温度センサで感知される温度変化に応じて送風手段によるエアーの風量を調整または送風をオン／オフさせて、電磁波発生源の出力が常に一定となるように自動的に制御される構成としたことで、処理対象物に対しより安定した出力で確実に電磁波を照射することができる。
【手続補正１８】
【補正対象書類名】明細書
【補正対象項目名】００２３
【補正方法】変更
【補正の内容】
【００２３】
本発明の請求項６に係る電磁波照射殺菌装置では、搬送手段を設けることにより、セパレートシートや物を載せるパレット等の平面体からなる処理対象物を確実に搬送することができる。
【手続補正１９】
【補正対象書類名】明細書
【補正対象項目名】００２４
【補正方法】変更
【補正の内容】
【００２４】
さらに本発明の請求項７に係る電磁波照射殺菌装置では、処理対象物が平面体以外の形状である場合、電磁波検出センサに、処理対象物の形状に基づいた形状のアタッチメントを装着し、処理対象物の特定の部分における電磁波の照射強度や照射量の測定を可能としたことにより、あらゆる形状の処理対象物に照射される電磁波の照射強度や照射量を正確に測定することができる。
【手続補正２０】
【補正対象書類名】明細書
【補正対象項目名】００２５
【補正方法】変更
【補正の内容】
【００２５】
本発明の請求項８に係る電磁波照射殺菌装置では、電磁波発生源が、処理対象物の搬送経路の両側に対称的に配置されていることにより、処理対象物の表裏両面に電磁波を満遍なく確実に照射して効率的な殺菌を行うことができる。
【手続補正２１】
【補正対象書類名】明細書
【補正対象項目名】００２６
【補正方法】変更
【補正の内容】
【００２６】
本発明の請求項９に係る電磁波照射殺菌装置では、電磁波発生源が、管状に形成された紫外線ランプよりなり、これが処理対象物の搬送方向と平行または直交もしくは傾斜状に交差して複数本並設されていることにより、処理対象物の表裏両面に紫外線を満遍なく確実に照射して効率的な殺菌を行うことができる。
さらに本発明の請求項１０に係る電磁波照射殺菌装置では、処理対象物の搬送経路に、処理対象物の姿勢を保持するための一対のガイド棒を有し、このガイド棒は処理対象物の搬送方向に対し傾斜するように設置されているとともに、その入口側または入口側と出口側の端部の間隔が広がった形状に形成されている。そのため、電磁波の照射時にはこのガイド棒が処理対象物の同じ位置を遮ることがないので、処理対象物の全面に確実に紫外線を照射して効率的な殺菌を行うことができるとともに、搬送されてきた処理対象物が一対のガイド棒の間にスムーズに導入され、また排出されるので、処理対象物は安定した状態で一対のガイド棒の間を通って搬送され、確実な殺菌処理が行われる。
また、本発明の請求項１１に係る電磁波照射殺菌装置では、電磁波発生源から発せられる電磁波に故障があるときには、その故障に関する事項を表示部で表示することにより、故障の有無等を容易に確認することができる。
【手続補正２２】
【補正対象書類名】明細書
【補正対象項目名】００５９
【補正方法】変更
【補正の内容】
【００５９】
そして、必要時に紫外線検出センサ３２によって正確な紫外線照射量を測定する場合は、トップ画面にある「紫外線検出センサ」のボタン４６を押すことにより、図９に示すような測定画面が表示される。この測定画面において、スイッチボタン４７を押すことにより紫外線検出センサ３２が作動し（このとき紫外線検出センサ３２のシャッタ３３が自動的に開かれるようにしてもよい。）、これによってセパレートシートに照射される紫外線の照射量の測定が行われる。なお、電磁波発生源から発せられる電磁波に故障があるときの故障に関する事項としては、その旨を表す「故障表示」、現在までに生じた過去の故障を表示する「故障履歴」、故障表示や故障履歴をリセットするリセットボタンがある。